(57)【要約】【課題】上にゴルフボールを載置して打球したときの感じが、実際のコースでの打球感と同一ないしは類似しているボール打撃面構造体を提供する。【解決手段】ゴルフ練習場Ｅのボール打撃場所Ｓ近傍に形成した凹所１と、凹所１に嵌込み取出し自在に嵌込まれると共に箱体３に土４を収納して土４に天然芝２を植えたゴルフ練習マットＭと、から構成される。凹所１の平面視形状及び深さ寸法Ｈを、ゴルフ練習マットＭの平面視形状及び厚さ寸法Ｔに、略等しく設定して、凹所１にゴルフ練習マットＭを嵌込んだ状態でゴルフ練習マットＭの天然芝２の生え際２ａが、凹所１の周辺のボール打撃場所Ｓ近傍の地面Ｊと略連続平坦面状となるように構成する。【選択図】  図２
2004209035.tif 000002
【特許請求の範囲】
【請求項１】
短辺（５）側の側壁（６）を着脱自在に有する平面視矩形でかつ上方開口状の箱体（３）に、土（４）を収納し、該土（４）に天然芝（２）を植えたことを特徴とするゴルフ練習マット。
【請求項２】
箱体（３）にプレーヤーの名前（Ｎ１  ）又は識別番号（Ｎ２  ）を表示した請求項１記載のゴルフ練習マット。
【請求項３】
ゴルフ練習場（Ｅ）のボール打撃場所（Ｓ）近傍に形成した凹所（１）と、該凹所（１）に嵌込み取出し自在に嵌込まれると共に箱体（３）に土（４）を収納して該土（４）に天然芝（２）を植えたゴルフ練習マット（Ｍ）と、から構成され、上記凹所（１）の平面視形状及び深さ寸法（Ｈ）を、上記ゴルフ練習マット（Ｍ）の平面視形状及び厚さ寸法（Ｔ）に、略等しく設定して、上記凹所（１）に上記ゴルフ練習マット（Ｍ）を嵌込んだ状態で上記ゴルフ練習マット（Ｍ）の上記天然芝（２）の生え際（２ａ）が、上記凹所（１）の周辺の上記ボール打撃場所（Ｓ）近傍の地面（Ｊ）と略連続平坦面状となるように構成したことを特徴とするボール打撃面構造体。
【請求項４】
箱体（３）に土（４）を収納し、該土（４）に天然芝（２）を植えたゴルフ練習マット（Ｍ）を予め作成しておき、
ゴルフ練習場（Ｅ）のボール打撃場所（Ｓ）近傍に凹所（１）を形成し、
上記ゴルフ練習マット（Ｍ）を上記凹所（１）に嵌込み取出し自在に嵌込み、上記ゴルフ練習マット（Ｍ）の天然芝（２）の生え際（２ａ）が上記凹所（１）の周辺のボール打撃場所（Ｓ）近傍の地面（Ｊ）と略連続平坦面状とし、その後、上記ゴルフ練習マット（Ｍ）の上にゴルフボール（Ｇ）を載置して打撃練習を行なうことを特徴とするゴルフ練習マットの使用方法。
【請求項５】
短辺（５）側の側壁（６）を着脱自在に有する平面視矩形でかつ上方開口状の箱体（３）に、土（４）を収納し、該土（４）に天然芝（２）を植えたゴルフ練習マット（Ｍ）を予め作成しておき、
ゴルフ練習場（Ｅ）のボール打撃場所（Ｓ）近傍に凹所（１）を形成し、
上記ゴルフ練習マット（Ｍ）を、上記側壁（６）を取外して、上記凹所（１）に嵌込み取出し自在に嵌込み、上記ゴルフ練習マット（Ｍ）の天然芝（２）の生え際（２ａ）が上記凹所（１）の周辺のボール打撃場所（Ｓ）近傍の地面（Ｊ）と略連続平坦面状とし、その後、上記ゴルフ練習マット（Ｍ）の上にゴルフボール（Ｇ）を載置して打撃練習を行なうことを特徴とするゴルフ練習マットの使用方法。
【請求項６】
短辺（５）側の側壁（６）を着脱自在に有する平面視矩形でかつ上方開口状の箱体（３）に、土（４）を収納し、該土（４）に天然芝（２）を植えたゴルフ練習マット（Ｍ）を予め作成しておき、
ゴルフ練習場（Ｅ）のボール打撃場所（Ｓ）近傍に凹所（１）を形成し、
上記ゴルフ練習マット（Ｍ）を、上記側壁（６）を取外して、上記凹所（１）に嵌込み取出し自在に嵌込み、上記ゴルフ練習マット（Ｍ）の天然芝（２）の生え際（２ａ）が上記凹所（１）の周辺のボール打撃場所（Ｓ）近傍の地面（Ｊ）と略連続平坦面状とし、その後、上記ゴルフ練習マット（Ｍ）の上にゴルフボール（Ｇ）を載置して打撃練習を行ない、
所定回数の打撃練習の後、上記天然芝（２）が傷んだときに、ゴルフ練習場（Ｅ）の外部（Ｋ）にゴルフ練習マット（Ｍ）を搬出して、上記天然芝（２）を再生させて、その後、再度、上記ゴルフ練習マット（Ｍ）を上記ゴルフ練習場（Ｅ）に搬入して、上記凹所（１）に嵌込んで練習することを特徴とするゴルフ練習マットの使用方法。
【発明の詳細な説明】
【０００１】
【発明の属する技術分野】
本発明は、ゴルフ練習マット、ボール打撃面構造体とその使用方法に関する。
【０００２】
【従来の技術】
従来、ゴルフ練習マットは、人工芝生のマットから成るものが公知である（例えば、特許文献１参照）。
【０００３】
【特許文献１】
特開平８−１９３３０５号公報
【０００４】
【発明が解決しようとする課題】
しかし、従来のゴルフ練習マットは、人工芝生（プラスチックマット）から成るため、上にゴルフボールを載置して打球したときの感じが、実際のコースでの打球感と全く違うという欠点があった。特に、アイアンの練習においては、その差が大きいという欠点があった。
【０００５】
そこで、本発明は、上にゴルフボールを載置して打球したときの感じが、実際のコースでの打球感と同一ないしは類似しているゴルフ練習マットを提供することを目的とする。また、使用するプレーヤーの名前を判別することができるゴルフ練習マットを提供することを他の目的とする。
【０００６】
また、上にゴルフボールを載置して打球したときの感じが、実際のコースでの打球感と同一ないしは類似しているボール打撃面構造体を提供することを他の目的とする。
【０００７】
また、打撃練習を行なった時の感じが、実際のコースでの打球感と同一ないしは類似しているゴルフ練習マットの使用方法を提供することを他の目的とする。また、側壁がスウィングの邪魔にならないゴルフ練習マットの使用方法を提供することを他の目的とする。また、長期間繰り返し打撃練習を行なうことができるゴルフ練習マットの使用方法を提供することを他の目的とする。
【０００８】
【課題を解決するための手段】
上述の目的を達成するために、本発明に係るゴルフ練習マットは、短辺側の側壁を着脱自在に有する平面視矩形でかつ上方開口状の箱体に、土を収納し、該土に天然芝を植えたものである。また、箱体にプレーヤーの名前又は識別番号を表示したものである。
【０００９】
また、本発明に係るボール打撃面構造体は、ゴルフ練習場のボール打撃場所近傍に形成した凹所と、該凹所に嵌込み取出し自在に嵌込まれると共に箱体に土を収納して該土に天然芝を植えたゴルフ練習マットと、から構成され、上記凹所の平面視形状及び深さ寸法を、上記ゴルフ練習マットの平面視形状及び厚さ寸法に、略等しく設定して、上記凹所に上記ゴルフ練習マットを嵌込んだ状態で上記ゴルフ練習マットの上記天然芝の生え際が、上記凹所の周辺の上記ボール打撃場所近傍の地面と略連続平坦面状となるように構成したものである。
【００１０】
また、本発明に係るゴルフ練習マットの使用方法は、箱体に土を収納し、該土に天然芝を植えたゴルフ練習マットを予め作成しておき、ゴルフ練習場のボール打撃場所近傍に凹所を形成し、上記ゴルフ練習マットを上記凹所に嵌込み取出し自在に嵌込み、上記ゴルフ練習マットの天然芝の生え際が上記凹所の周辺のボール打撃場所近傍の地面と略連続平坦面状とし、その後、上記ゴルフ練習マットの上にゴルフボールを載置して打撃練習を行なう方法である。
【００１１】
また、短辺側の側壁を着脱自在に有する平面視矩形でかつ上方開口状の箱体に、土を収納し、該土に天然芝を植えたゴルフ練習マットを予め作成しておき、ゴルフ練習場のボール打撃場所近傍に凹所を形成し、上記ゴルフ練習マットを、上記側壁を取外して、上記凹所に嵌込み取出し自在に嵌込み、上記ゴルフ練習マットの天然芝の生え際が上記凹所の周辺のボール打撃場所近傍の地面と略連続平坦面状とし、その後、上記ゴルフ練習マットの上にゴルフボールを載置して打撃練習を行なう方法である。
【００１２】
また、短辺側の側壁を着脱自在に有する平面視矩形でかつ上方開口状の箱体に、土を収納し、該土に天然芝を植えたゴルフ練習マットを予め作成しておき、ゴルフ練習場のボール打撃場所近傍に凹所を形成し、上記ゴルフ練習マットを、上記側壁を取外して、上記凹所に嵌込み取出し自在に嵌込み、上記ゴルフ練習マットの天然芝の生え際が上記凹所の周辺のボール打撃場所近傍の地面と略連続平坦面状とし、その後、上記ゴルフ練習マットの上にゴルフボールを載置して打撃練習を行ない、所定回数の打撃練習の後、上記天然芝が傷んだときに、ゴルフ練習場の外部にゴルフ練習マットを搬出して、上記天然芝を再生させて、その後、再度、上記ゴルフ練習マットを上記ゴルフ練習場に搬入して、上記凹所に嵌込んで練習する方法である。
【００１３】
【発明の実施の形態】
以下、実施の形態を示す図面に基づき、本発明を詳説する。
【００１４】
図１〜図３は、本発明のゴルフ練習マットＭの使用状態を示す。すなわち、このゴルフ練習マットＭは、ゴルフ練習場Ｅのボール打撃場所（打席）Ｓ近傍に形成された凹所１に嵌込まれる。プレーヤーＰは、ゴルフ練習マットＭの上にゴルフボールＧを載置して、アイアン又はウッドから成るゴルフクラブＣにてゴルフボールＧを打撃して、打撃練習を行なう。ゴルフ練習マットＭは、（後述のように）その上部に天然芝２を有する。
【００１５】
打撃練習は、ゴルフクラブヘッドＣ（図１参照）を、図２の矢印Ｘ方向に振り下ろして、ゴルフボールＧを打撃して行なう。この打撃練習を所定回数繰り返すと、天然芝２が切り飛ばされて、多くのディボットＤ（図３参照）が生じ、適切な打撃練習を行なうことができなくなる。天然芝２がこのように傷んだら、ゴルフ練習マットＭを取出して、前後方向に反転させて、図３に示すように、ディボットＤのない部分にゴルフボールＧを載置して、さらに打撃練習を行なう。
【００１６】
図２・図３に示すように、ボール打撃面構造体は、ゴルフ練習場Ｅのボール打撃場所Ｓ近傍に形成した凹所１と、凹所１に嵌込み取出し自在に嵌込まれると共に金属製、樹脂製又は木製の箱体３に土４を収納して土４に天然芝２を植えたゴルフ練習マットＭと、から構成される。
【００１７】
凹所１の平面視形状及び深さ寸法Ｈは、ゴルフ練習マットＭの平面視形状及び厚さ寸法Ｔに、略等しく設定される。本発明に於ては、このゴルフ練習マットＭの厚さ寸法Ｔとは、箱体３の高さ（厚さ）寸法と定義する。つまり、天然芝２の厚さは不安定であるので、箱体３の高さ（厚さ）寸法をもって、マットＭの厚さ寸法Ｔとする。このようにして、凹所１にゴルフ練習マットＭを嵌込んだ状態でゴルフ練習マットＭの天然芝２の生え際２ａが、凹所１の周辺のボール打撃場所Ｓ近傍の地面Ｊと略連続平坦面状となるように構成される。
【００１８】
図４は、ゴルフ練習マットＭを示し、箱体３に、土４（図２・図３参照）を収納し、土４に天然芝２が植えられている。
【００１９】
図５・図６は、箱体３を示す。箱体３は、平面視矩形でかつ上方開口状に形成される。また、箱体３は、短辺５側の側壁６を着脱自在に有する。すなわち、図６の矢印Ａ，Ａ及び矢印Ｂ，Ｂに示すように、側壁６ａ，６ｂを離脱させることができる。
【００２０】
具体的には、図６・図７に示すように、長辺７，７のうち一辺側の側壁８（８ａ）の前端縁部、底壁９の前端縁部、長辺７，７のうち他辺側の側壁８（８ｂ）の前端縁部にわたって連続状に凹溝１０が設けられる。そして、この凹溝１０に、側壁６ａが、スライド自在に係止している。同様に、側壁８ａの後端縁部、底壁９の後端縁部、側壁８ｂの後端縁部にわたって連続状に凹溝１１が設けられ、この凹溝１１に、側壁６ｂが、スライド自在に係止する。
箱体３は、その側壁６、側壁８、及び、底壁９に、水はけを良くするための複数の穴１２を有する。
【００２１】
図５に示すように、箱体３の短辺５の長さＬ１  は、３００ｍｍ  ≦Ｌ１  ≦４５０ｍｍ  に設定され、かつ、箱体３の長辺７の長さＬ２  は、６００ｍｍ  ≦Ｌ２  ≦１０００ｍｍに設定される。長さＬ１  、及び、長さＬ２  が、上記範囲にある場合、ゴルフ練習マットＭ（図４参照）上で打撃練習を行ない易いとともに、ゴルフ練習マットＭを容易に取扱うことができる。
【００２２】
長さＬ１  が、Ｌ１  ＜３００ｍｍ  の場合、ゴルフ練習マットＭが小さくて打撃練習を行ないにくいという欠点がある。また、長さＬ１  が、４５０ｍｍ  ＜Ｌ１  の場合、ゴルフ練習マットＭを取扱いにくいという欠点がある。
【００２３】
長さＬ２  が、Ｌ２  ＜６００ｍｍ  の場合、ゴルフ練習マットＭが小さくて打撃練習を行ないにくいという欠点がある。また、長さＬ２  が、１０００ｍｍ＜Ｌ２  の場合、ゴルフ練習マットＭを取扱いにくいという欠点がある。
【００２４】
図４〜図６に示すように、箱体３にプレーヤーの名前Ｎ１  （「ＫＡＹＡＮＯ」）が表示される。
【００２５】
次に、ゴルフ練習マットＭの使用方法について、説明する。
まず、短辺５側の側壁６を着脱自在に有する平面視矩形でかつ上方開口状の箱体３に、土４を収納し、土４に天然芝２を植えたゴルフ練習マットＭを予め作成しておく。他方、ゴルフ練習場Ｅのボール打撃場所Ｓ近傍に凹所１を形成する。
【００２６】
ゴルフ練習マットＭを、前方の短辺５側の側壁６（６ａ）を取外して、凹所１に嵌込み取出し自在に嵌込み、ゴルフ練習マットＭの天然芝２の生え際２ａが凹所１の周辺のボール打撃場所Ｓ近傍の地面Ｊと略連続平坦面状とする。その後、ゴルフ練習マットＭの上にゴルフボールＧを載置して打撃練習を行なう。この打撃練習を所定回数繰り返して、多くのディボットＤが生じたら、ゴルフ練習マットＭを取出して、後方の短辺５側の側壁６（６ｂ）を取外し、前後方向に反転させて、再度、凹所１に嵌込み、打撃練習を行なう。
【００２７】
図８に示すように、所定の使用の後、天然芝２が傷んだときに、矢印Ｆ１  ，Ｆ１  に示すように、ゴルフ練習場Ｅの外部Ｋ───例えば、日当たりの良い畑───にゴルフ練習マットＭを搬出して、天然芝２を再生させる。その後、再度、矢印Ｆ２  に示すように、ゴルフ練習マットＭをゴルフ練習場Ｅに搬入して、凹所１（図２・図３参照）に嵌込んで練習する。Ｑは、ゴルフ練習マットＭの収納場所を示す。
【００２８】
なお、本発明に於て、「植えた」とは、他の場所で（天然芝２を）生育させたものを箱体３内に移した場合と、はじめから、箱体３内の土４で（天然芝２を）生育させた場合の両方を含むものとする。
【００２９】
なお、本発明は、設計変更可能であって、例えば、図８に示すように、箱体３にプレーヤーＰを識別するための識別番号Ｎ２  を表示するも良い。また、ゴルフ練習マットＭを、はじめから、側壁６ａ，６ｂの両方を取外した状態で、凹所１に嵌込んで使用するも良い。また、練習マットＭの天然芝２が所定の使用の後傷んだとき、天然芝２を張替えるも良い。
【００３０】
【発明の効果】
本発明は、上述の如く構成されるので、次に記載する効果を奏する。
【００３１】
（請求項１，２によれば）上にゴルフボールＧを載置して打球したときの感じが、実際のコースでの打球感と同一ないしは類似している。すなわち、実際のコースと同じ感じでゴルフボールＧを打つことができ、人工芝生のマットから成るものと比較して、より有意義な練習を行うことができる。また、自由に持ち運びすることができる。
（請求項２によれば）使用するプレーヤーＰの名前を判別することができる。
【００３２】
（請求項３によれば）上にゴルフボールＧを載置して打球したときの感じが、実際のコースでの打球感と同一ないしは類似している。すなわち、人工芝生のマットから成るものと比較して、より有意義な練習を行うことができる。また、ゴルフ練習マットＭの天然芝２の生え際２ａが、凹所１の周辺のボール打撃場所Ｓ近傍の地面Ｊと略連続平坦面状となるように構成されるので、実際のコースでの打球感とより近い打球感にて打撃練習を行なうことができる。
【００３３】
（請求項４，５，６によれば）打撃練習を行なった時の感じが、実際のコースでの打球感と同一ないしは類似している。すなわち、人工芝生のマットから成るものと比較して、より有意義な練習を行うことができる。
【００３４】
（請求項５によれば）側壁６がスウィングの邪魔にならない。
（請求項６によれば）長期間繰り返し打撃練習を行なうことができる。
【図面の簡単な説明】
【図１】本発明の使用状態を示す斜視図である。
【図２】使用状態を示す断面側面図である。
【図３】使用状態を示す断面側面図である。
【図４】ゴルフ練習マットを示す斜視図である。
【図５】箱体を示す斜視図である。
【図６】説明用斜視図である。
【図７】要部拡大断面平面図である。
【図８】使用状態を示す説明図である。
【符号の説明】
１  凹所
２  天然芝
２ａ  生え際
３  箱体
４  土
５  短辺
６  側壁
Ｅ  ゴルフ練習場
Ｇ  ゴルフボール
Ｈ  深さ寸法
Ｔ  厚さ寸法
Ｊ  地面
Ｋ  外部
Ｍ  ゴルフ練習マット
Ｎ１    プレーヤーの名前
Ｎ２    識別番号
Ｓ  ボール打撃場所
【図１】
2004209035.tif 000003
【図２】
2004209035.tif 000004
【図３】
2004209035.tif 000005
【図４】
2004209035.tif 000006
【図５】
2004209035.tif 000007
【図６】
2004209035.tif 000008
【図７】
2004209035.tif 000009
【図８】
2004209035.tif 000010